【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入時に所定の開始操作が行われた場合に、前記当り遊技の実行確率に関する設定値の決定、又は該設定値の確認を可能にする設定関連モードを発生させる設定関連モード発生手段と、
前記設定関連モード中に所定の終了操作が行われた場合に、前記設定関連モードを終了させる設定関連モード終了手段と、
所定の異常の有無を判定可能な異常判定手段と、
前記設定関連モード中と、前記設定関連モードが終了した後の所定期間中と、前記異常判定手段により異常有りと判定された場合に、所定の報知を行うように制御可能な報知制御手段と、
を備え、
前記報知制御手段は、
前記設定関連モード中に第１報知を実行する第１報知実行手段と、
前記設定関連モードが終了した後の前記所定期間中に第２報知を実行する第２報知実行手段と、
前記異常判定手段により異常有りと判定された場合に第３報知を実行する第３報知実行手段と、
を有し、
前記異常判定手段により異常有りと判定されたものの前記第２報知が実行されているときには、前記第３報知が直ちに行われず、前記第２報知の終了後に前記第３報知が行われるものであり、
さらに、前記設定関連モード中は、遊技が進行しないように構成されてなる
ことを特徴とする遊技機。
【請求項２】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入時に所定の開始操作が行われた場合に、前記当り遊技の実行確率に関する設定値の決定、又は該設定値の確認を可能にする設定関連モードを発生させる設定関連モード発生手段と、
前記設定関連モード中に所定の終了操作が行われた場合に、前記設定関連モードを終了させる設定関連モード終了手段と、
所定の異常の有無を判定可能な異常判定手段と、
前記設定関連モード中と、前記設定関連モードが終了した後の所定期間中と、前記異常判定手段により異常有りと判定された場合に、所定の報知を行うように制御可能な報知制御手段と、
を備え、
前記報知制御手段は、
前記設定関連モード中に第１報知を実行する第１報知実行手段と、
前記設定関連モードが終了した後の前記所定期間中に第２報知を実行する第２報知実行手段と、
前記異常判定手段により異常有りと判定された場合に第３報知を実行する第３報知実行手段と、
を有し、
前記第２報知中に前記異常判定手段により異常有りと判定されると、前記第２報知に代えて前記第３報知が行われるものであり、
さらに、前記設定関連モード中は、遊技が進行しないように構成されてなる
ことを特徴とする遊技機。
【請求項３】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入時に所定の開始操作が行われた場合に、前記当り遊技の実行確率に関する設定値の決定、又は該設定値の確認を可能にする設定関連モードを発生させる設定関連モード発生手段と、
前記設定関連モード中に所定の終了操作が行われた場合に、前記設定関連モードを終了させる設定関連モード終了手段と、
所定の異常の有無を判定可能な異常判定手段と、
前記設定関連モード中と、前記設定関連モードが終了した後の所定期間中と、前記異常判定手段により異常有りと判定された場合に、所定の報知を行うように制御可能な報知制御手段と、
を備え、
前記報知制御手段は、
前記設定関連モード中に第１報知を実行する第１報知実行手段と、
前記設定関連モードが終了した後の前記所定期間中に第２報知を実行する第２報知実行手段と、
前記異常判定手段により異常有りと判定された場合に第３報知を実行する第３報知実行手段と、
を有し、
少なくとも前記第３報知は、当該遊技機に設けられる複数の報知部材を用いて報知を行うものであり、
前記第２報知中に前記異常判定手段により異常有りと判定されると、前記複数の報知部材のうちの前記第２報知で用いられていない報知部材を用いて前記第３報知が行われるものであり、
さらに、前記設定関連モード中は、遊技が進行しないように構成されてなる
ことを特徴とする遊技機。
【手続補正２】
【補正対象書類名】明細書
【補正対象項目名】０００４
【補正方法】変更
【補正の内容】
【０００４】
しかしながら、設定情報を有する従来の遊技機については、不正行為に対する対策に欠けるという問題があった。
【手続補正３】
【補正対象書類名】明細書
【補正対象項目名】０００５
【補正方法】変更
【補正の内容】
【０００５】
本発明は、上記した事情に鑑みなされたもので、その目的とするところは、不正行為に対する抑止力の向上を図ることが可能な遊技機を提供することにある。
【手続補正４】
【補正対象書類名】明細書
【補正対象項目名】０００６
【補正方法】変更
【補正の内容】
【０００６】
上記した目的を達成するために、本発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入時に所定の開始操作が行われた場合に、前記当り遊技の実行確率に関する設定値の決定、又は該設定値の確認を可能にする設定関連モードを発生させる設定関連モード発生手段と、
前記設定関連モード中に所定の終了操作が行われた場合に、前記設定関連モードを終了させる設定関連モード終了手段と、
所定の異常の有無を判定可能な異常判定手段と、
前記設定関連モード中と、前記設定関連モードが終了した後の所定期間中と、前記異常判定手段により異常有りと判定された場合に、所定の報知を行うように制御可能な報知制御手段と、
を備え、
前記報知制御手段は、
前記設定関連モード中に第１報知を実行する第１報知実行手段と、
前記設定関連モードが終了した後の前記所定期間中に第２報知を実行する第２報知実行手段と、
前記異常判定手段により異常有りと判定された場合に第３報知を実行する第３報知実行手段と、
を有し、
前記異常判定手段により異常有りと判定されたものの前記第２報知が実行されているときには、前記第３報知が直ちに行われず、前記第２報知の終了後に前記第３報知が行われるものであり、
さらに、前記設定関連モード中は、遊技が進行しないように構成されてなる
ことを特徴とする。
また、遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入時に所定の開始操作が行われた場合に、前記当り遊技の実行確率に関する設定値の決定、又は該設定値の確認を可能にする設定関連モードを発生させる設定関連モード発生手段と、
前記設定関連モード中に所定の終了操作が行われた場合に、前記設定関連モードを終了させる設定関連モード終了手段と、
所定の異常の有無を判定可能な異常判定手段と、
前記設定関連モード中と、前記設定関連モードが終了した後の所定期間中と、前記異常判定手段により異常有りと判定された場合に、所定の報知を行うように制御可能な報知制御手段と、
を備え、
前記報知制御手段は、
前記設定関連モード中に第１報知を実行する第１報知実行手段と、
前記設定関連モードが終了した後の前記所定期間中に第２報知を実行する第２報知実行手段と、
前記異常判定手段により異常有りと判定された場合に第３報知を実行する第３報知実行手段と、
を有し、
前記第２報知中に前記異常判定手段により異常有りと判定されると、前記第２報知に代えて前記第３報知が行われるものであり、
さらに、前記設定関連モード中は、遊技が進行しないように構成されてなる
ことを特徴とする。
また、遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入時に所定の開始操作が行われた場合に、前記当り遊技の実行確率に関する設定値の決定、又は該設定値の確認を可能にする設定関連モードを発生させる設定関連モード発生手段と、
前記設定関連モード中に所定の終了操作が行われた場合に、前記設定関連モードを終了させる設定関連モード終了手段と、
所定の異常の有無を判定可能な異常判定手段と、
前記設定関連モード中と、前記設定関連モードが終了した後の所定期間中と、前記異常判定手段により異常有りと判定された場合に、所定の報知を行うように制御可能な報知制御手段と、
を備え、
前記報知制御手段は、
前記設定関連モード中に第１報知を実行する第１報知実行手段と、
前記設定関連モードが終了した後の前記所定期間中に第２報知を実行する第２報知実行手段と、
前記異常判定手段により異常有りと判定された場合に第３報知を実行する第３報知実行手段と、
を有し、
少なくとも前記第３報知は、当該遊技機に設けられる複数の報知部材を用いて報知を行うものであり、
前記第２報知中に前記異常判定手段により異常有りと判定されると、前記複数の報知部材のうちの前記第２報知で用いられていない報知部材を用いて前記第３報知が行われるものであり、
さらに、前記設定関連モード中は、遊技が進行しないように構成されてなる
ことを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明によれば、従来に比べて不正行為に対する抑止力の向上を図ることができる。